(57)【要約】【課題】  庫内体積が大きく、かつ１つの室を冷凍室または冷蔵室として選択的に使用することが可能な冷却庫を提供する。【解決手段】  この冷蔵庫１では、冷凍／冷蔵室４からの冷気戻り風路（吸気口３３）に戻りダンパ３４を設け、冷凍／冷蔵室４を冷凍室として使用する場合は戻りダンパ３４を開けて冷凍／冷蔵室４の温度を低下させ、冷凍／冷蔵室４を冷蔵室として使用する場合は戻りダンパ３４を閉じて冷凍／冷蔵室４の温度を上昇させる。したがって、冷凍／冷蔵室４への冷気送風路（吹出口３６）に送風ダンパを設けないので、省スペース化を図ることができ、冷蔵庫１の庫内体積を大きくすることができる。【選択図】        図５
2006097965.tif 000002
【特許請求の範囲】
【請求項１】
スターリング冷凍機を備え、複数の室に区画された冷却庫であって、
前記複数の室のうちの所定の室を冷蔵室および冷凍室のうちのいずれの室として使用するかを選択するための選択手段、
前記スターリング冷凍機のコールドヘッドから２次冷媒を介して冷熱を受ける蒸発器、
前記蒸発器で生成された冷気を循環させるための冷却ファン装置、
前記蒸発器および冷却ファン装置を収容した冷気通風路、
それぞれ前記複数の室に対応して設けられ、各々が前記冷気通風路の出口と対応の室との間に設けられた複数の冷気送風路、
それぞれ前記複数の室に対応して設けられ、各々が対応の室と前記冷気通風路の入口との間に設けられた複数の冷気戻り風路、
前記所定の室に対応する冷気戻り風路内に設けられた戻りダンパ、および
前記選択手段によって前記所定の室を前記冷蔵室として使用することが選択された場合は、前記戻りダンパを閉じて前記所定の室内が冷蔵温度になるように前記スターリング冷凍機および前記冷却ファン装置を制御し、前記選択手段によって前記所定の室を前記冷凍室として使用することが選択された場合は、前記戻りダンパを開けて前記所定の室内が冷凍温度になるように前記スターリング冷凍機および前記冷却ファン装置を制御する制御手段を備えた、冷却庫。
【請求項２】
前記冷却庫は上下２つの室に区画され、前記２つの室のうちの上段の室は冷蔵室として使用され、下段の室は前記所定の室として使用され、
さらに、前記冷蔵室に対応する冷気送風路内に設けられた送風ダンパを備え、
前記制御手段は、前記上段の室が前記冷蔵温度になるように前記送風ダンパを開閉制御する、請求項１に記載の冷却庫。
【請求項３】
前記冷却庫は上段の冷蔵室と下段の２つの室に区画され、前記下段の２つの室のうちの一方の室は冷凍室として使用され、他方の室は前記所定の室として使用され、
さらに、前記上段の冷蔵室に対応する冷気送風路内に設けられた送風ダンパを備え、
前記制御手段は、前記上段の冷蔵室が前記冷蔵温度になるように前記送風ダンパを開閉制御する、請求項１に記載の冷却庫。
【発明の詳細な説明】
【技術分野】
【０００１】
この発明は冷却庫に関し、特に、スターリング冷凍機を備え、複数の室に区画された冷却庫に関する。
【背景技術】
【０００２】
近年、フロンガスの地球環境への悪影響が指摘されており、フロンガスを使用しない冷蔵庫としてスターリング冷凍機を搭載したものが注目されている。この冷蔵庫では、スターリング冷凍機のコールドヘッドの冷熱が蒸発器に伝達され、蒸発器で生成された冷気が冷却ファン装置によって庫内に供給される（たとえば特許文献１参照）。
【０００３】
また、従来のコンプレッサを搭載した冷蔵庫では、冷凍室および冷蔵室の各々に冷気送風路および冷気戻り風路を設け、各冷気送風路に送風ダンパを設けるとともに各冷気戻り風路に戻りダンパを設け、各ダンパを開閉制御することにより、冷凍室および冷蔵室の各々の温度を制御するものがある（特許文献２参照）。
【特許文献１】特開２００２−２２１３８４号公報
【特許文献２】特開２００４−６９２４５号公報
【発明の開示】
【発明が解決しようとする課題】
【０００４】
しかし、スターリング冷凍機を備えた冷蔵庫では、通常、冷却ファン装置と冷凍室がともに冷蔵庫の下段に設けられるので、冷却ファン装置と冷凍室の間の冷気送風路に送風ダンパを設けると、送風ダンパのスペースが必要となり、冷凍室の体積が小さくなるという問題があった。
【０００５】
それゆえに、この発明の主たる目的は、庫内体積が大きく、かつ１つの室を冷凍室または冷蔵室として選択的に使用することが可能な冷却庫を提供することである。
【課題を解決するための手段】
【０００６】
この発明に係る冷却庫は、スターリング冷凍機を備え、複数の室に区画された冷蔵庫であって、複数の室のうちの所定の室を冷蔵室および冷凍室のうちのいずれの室として使用するかを選択するための選択手段と、スターリング冷凍機のコールドヘッドから２次冷媒を介して冷熱を受ける蒸発器と、蒸発器で生成された冷気を循環させるための冷却ファン装置と、蒸発器および冷却ファン装置を収容した冷気通風路と、それぞれ複数の室に対応して設けられ、各々が冷気通風路の出口と対応の室との間に設けられた複数の冷気送風路と、それぞれ複数の室に対応して設けられ、各々が対応の室と冷気通風路の入口との間に設けられた複数の冷気戻り風路と、所定の室に対応する冷気戻り風路内に設けられた戻りダンパと、選択手段によって所定の室を冷蔵室として使用することが選択された場合は、戻りダンパを閉じて所定の室内が冷蔵温度になるようにスターリング冷凍機および冷却ファン装置を制御し、選択手段によって所定の室を冷凍室として使用することが選択された場合は、戻りダンパを開けて所定の室内が冷凍温度になるようにスターリング冷凍機および冷却ファン装置を制御する制御手段を備えたものである。
【０００７】
好ましくは、冷却庫は上下２つの室に区画され、２つの室のうちの上段の室は冷蔵室として使用され、下段の室は所定の室として使用され、さらに、冷蔵室に対応する冷気送風路内に設けられた送風ダンパを備え、制御手段は、上段の室が冷蔵温度になるように送風ダンパを開閉制御する。
【０００８】
また好ましくは、冷却庫は上段の冷蔵室と下段の２つの室に区画され、下段の２つの室のうちの一方の室は冷凍室として使用され、他方の室は所定の室として使用され、さらに、上段の冷蔵室に対応する冷気送風路内に設けられた送風ダンパを備え、制御手段は、上段の冷蔵室が冷蔵温度になるように送風ダンパを開閉制御する。
【０００９】
また好ましくは、さらに、戻りダンパの凍結を防止するためのヒータが設けられる。
【発明の効果】
【００１０】
この発明に係る冷却庫では、複数の室のうちの所定の室を冷蔵室および冷凍室のうちのいずれの室として使用するかを選択するための選択手段を設けるとともに、所定の室に対応する冷気戻り風路内に戻りダンパを設け、選択手段によって所定の室を冷蔵室として使用することが選択された場合は、戻りダンパを閉じて所定の室内を冷蔵温度にし、選択手段によって所定の室を冷凍室として使用することが選択された場合は、戻りダンパを開けて所定の室内を冷凍温度にする。したがって、所定の室に対応する冷気送風路に送風ダンパを設けないので、庫内体積が大きくなる。また、所定の室を冷蔵室または冷凍室として選択的に使用することができる。
【発明を実施するための最良の形態】
【００１１】
[実施の形態１]
図１は、この発明の実施の形態１による冷蔵庫１の内部構成を示す側面から見た断面図であり、図２は冷蔵庫１の内部構成を示す正面から見た断面図であり、図３は冷蔵庫１の扉を開けた外観を示す正面図である。
【００１２】
図１〜図３において、冷蔵庫１は食品（冷凍食品）保存用であり、断熱構造の筐体２を備える。筐体２の内部は上下２段に仕切られており、上側に冷蔵室３が構成され、下側に冷凍／冷蔵室４が構成されている。この冷凍／冷蔵室４は、冷凍室または冷蔵室として選択的に使用することが可能になっている。冷蔵室３および冷凍／冷蔵室４の正面側（図１において右側）の開口部の各々には、断熱構造の扉(図示せず)が開閉自在に設けられている。冷蔵室３の上部は複数の棚板５により上下複数段に区画され、冷蔵室３の下部には複数段の収納ケース６が引出可能に設けられている。冷凍／冷蔵室４には、製氷機７が設けられるとともに、複数段の収納ケース８が引出可能に設けられている。
【００１３】
冷蔵室３と冷凍／冷蔵室４の間の後部にスターリング冷凍機１０が設置されている。スターリング冷凍機１０のウォームヘッド１１には２次冷媒回路１５を介して放熱器１６が結合され、コールドヘッド１２には２次冷媒回路２０を介して蒸発器２１が結合されている。
【００１４】
２次冷媒回路１５は、銅や銅合金、アルミなどの熱伝導の良い金属からなるパイプを閉ループ状にしたものであり、図２に示すように一部はウォームヘッド１１を取り巻き、他の一部はスターリング冷凍機１０の圧力容器１３の上方にて放熱器１６に結合されている。２次冷媒回路１５の内部には水などの２次冷媒が密封されている。放熱器１６は、２次冷媒回路１５に多数の放熱フィンを嵌着したものであり、ウォームヘッド１１で加熱された２次冷媒の放熱を行なう。
【００１５】
２次冷媒回路２０も銅や銅合金、アルミなど熱伝導の良い金属からなるパイプを閉ループ状にしたものであり、図２に示すように一部はコールドヘッド１２を取り巻き、他の一部は筐体２の内部に入り込んで蒸発器２１に結合される。２次冷媒回路２０の内部にはＣＯ２などの２次冷媒が密封されている。蒸発器２１は、２次冷媒回路２０に多数の冷却フィンを嵌着したものであり、庫内冷却用の冷気を生成する。
【００１６】
冷蔵庫１の庫内空間には、背面壁の内側に沿って垂直方向に延びるダクト３０，３１が設けられる。ダクト３０は奥側に位置し、ダクト３１はその手前側に位置する。ダクト３０は庫内空間の途中までの高さで終わるが、ダクト３１は筐体２の棚部を貫通して天井部まで続く。
【００１７】
ダクト３０の下端には、冷蔵室３の室内空気を吸い込む吸気口３２と、冷凍／冷蔵室４の室内空気を吸い込む吸気口３３が設けられ、吸気口３３には戻りダンパ３４が設けられている。戻りダンパ３４は、冷凍／冷蔵室４を冷凍室として使用する場合は開けられ、冷凍／冷蔵室４を冷蔵室として使用する場合は閉じられる。
【００１８】
ダクト３０の上端には、ダクト３１に空気を吹き出すための冷却ファン装置３５が設けられる。冷却ファン装置３５は、プロペラファンとこれを回転させるモータからなる。吸気口３２，３３と冷却ファン装置３５の間に蒸発器２１が設置される。冷却ファン装置３５の運転により吸気口３２，３３から吸い込まれた空気は、蒸発器２１を通過する際に熱を奪われ、冷気となる。冷却ファン装置３５によりダクト３１に吹き出された冷気は、各収納ケース８に対応して設けられた吹出口３６から冷凍／冷蔵庫４に吹き出される。
【００１９】
また、ダクト３１の中央部には送風ダンパ３７が設けられ、その上側には冷蔵室用ファン装置３８が設けられる。冷蔵室用ファン装置３８は、プロペラファンとこれを回転させるモータからなる。送風ダンパ３７が開けられて冷蔵室用ファン装置３８が運転されると、ダクト３１の冷気は冷蔵室３内に吹き出される。
【００２０】
図４は、冷蔵庫１のうちの運転制御に関連する部分を示すブロック図である。図４において、この冷蔵庫１は、冷蔵室内温度センサ４１、冷凍／冷蔵室内温度センサ４２、コールドヘッド温度センサ４３、冷凍／冷蔵切換スイッチ４４、基準温度記憶部４５、および制御部４６を備える。
【００２１】
冷蔵室内温度センサ４１は、たとえばダクト３１の冷蔵室３側の表面に設けられ、冷蔵室３内の温度を検出し、検出値を示す信号を制御部４６に与える。冷凍／冷蔵室内温度センサ４２は、たとえばダクト３１の冷凍／冷蔵室３側の表面に設けられ、冷凍／冷蔵室４内の温度を検出し、検出値を示す信号を制御部４６に与える。コールドヘッド温度センサ４３は、スターリング冷凍機１０のコールドヘッド１２に設けられてコールドヘッド１２の温度を検出し、検出値を示す信号を制御部４６に与える。この検出値はスターリング冷凍機１０の運転制御に利用される。
【００２２】
冷凍／冷蔵切換スイッチ４４は、たとえば冷凍／冷蔵室４の扉の表面に設けられる。ユーザは、このスイッチ４４を操作することにより、冷凍／冷蔵室４を冷凍室として使用するか冷蔵室として使用するかを選択することができる。基準温度記憶部４５は、ＲＯＭ等の読み出し専用メモリ、もしくはＥＥＰＲＯＭなどの書き換え可能なメモリからなり、冷蔵室３内、冷凍／冷蔵室４内、コールドヘッド１２の各々の基準温度を記憶している。
【００２３】
制御部４６は、温度センサ４１〜４３、冷凍／冷蔵切換えスイッチ４４および基準温度記憶部４５からの各種情報に基づいて、スターリング冷凍機１０、冷却ファン装置３５、冷蔵室用ファン装置３８、送風ダンパ３７、および戻りダンパ３４を制御する。
【００２４】
次に、この冷蔵庫１の動作について説明する。電源が投入されると、スターリング冷凍機１０が駆動され、ウォームヘッド１１の温度が上昇し、コールドヘッド１２の温度が低下する。
【００２５】
２次冷媒回路１５内の２次冷媒はウォームヘッド１１の熱により気化し、放熱器１６に熱を伝達する。放熱器１６の熱は速やかに大気中に放散される。２次冷媒は放熱器１６で熱を奪われて凝縮し、重力によってウォームヘッド１１のレベルまで流下する。このように２次冷媒回路１５内の２次冷媒は気化と凝縮を繰り返して循環し、ウォームヘッド１１の熱を放熱器１６に伝達する。
【００２６】
一方、２次冷媒回路２０内の２次冷媒はコールドヘッド１２の冷熱により凝縮して蒸発器２１に流下する。スターリング冷凍機１０とともにファン装置３５、３８が駆動され、吸気口３２および／または吸気口３３から蒸発器２１を経てダクト３１内に排出される空気流が形成される。蒸発器２１を通過するとき、空気は熱を奪われて冷気となる。逆に２次冷媒回路２０内の２次冷媒は蒸発器２１から熱を与えられて気化し、コールドヘッド１２のレベルまで上昇する。このように２次冷媒回路２０内の２次冷媒は凝縮と気化を繰り返して循環し、コールドヘッド１２の冷熱を蒸発器２１に伝達する。
【００２７】
ダクト３１内に送り込まれた冷気は、ダクト３１の各吹出口３６から冷凍／冷蔵室４内に吹き出して冷凍／冷蔵室４内を冷却するとともに、ダクト３１の上部から冷蔵室３内に吹き出して冷蔵室３内を冷却する。冷気は棚板５および収納ケース６，８と扉(図示せず)との隙間などを通って吸気口３２，３３に戻る。このようにして、冷蔵庫１の庫内空間に冷気の循環が形成される。
【００２８】
図５は、冷蔵庫１の風路を示す図である。図５において、ダクト３０は、蒸発器２１および冷却ファン装置３５を収容した冷気通風路を構成している。ダクト３１の上部は、冷気通風路の出口と冷蔵室３との間に設けられて送風ダンパ３７および冷蔵室用ファン装置３８を収容し、冷蔵室３に冷気を供給する冷蔵室用冷気送風路を構成する。ダクト３１の下部の吹出口３６は、冷気通風路の出口と冷凍／冷蔵室４との間に設けられ、冷凍／冷蔵室４に冷気を供給する冷凍／冷蔵室用冷気送風路を構成する。
【００２９】
冷蔵室３から吸気口３２までの風路は、冷蔵室３と冷気通風路の入口との間に設けられ、冷蔵室３内の空気を排出する冷蔵室用冷気戻り風路を構成する。冷凍／冷蔵室３から吸気口３３までの風路は、冷凍／冷蔵室４と冷気通風路の入口との間に設けられて戻りダンパ３４を収容し、冷凍／冷蔵室４３内の空気を排出する冷凍／冷蔵室用冷気戻り風路を構成する。
【００３０】
冷凍／冷蔵切換スイッチ４４によって冷凍／冷蔵室４を冷凍室として使用することが選択された場合は、制御部４６は戻りダンパ３４を開ける。これにより、冷凍／冷蔵室４内の冷気の循環を促進して、冷凍／冷蔵室４の温度を低下させ、冷凍／冷蔵室４を冷凍室として使用することができる。制御部４６は、温度センサ４１〜４３の各々の検出値が基準温度記憶部４５に記憶された基準値に一致するように、スターリング冷凍機１０の出力、冷却ファン装置３５の風量および冷蔵室用ファン装置３８の風量を制御するとともに、送風ダンパ３７を開閉制御する。このとき、冷蔵室３の室内温度は冷蔵温度帯に維持され、冷凍／冷蔵室４の室内温度は−４０℃または−１８℃前後の冷凍温度帯に維持される。
【００３１】
冷凍／冷蔵切換スイッチ４４によって冷凍／冷蔵室４を冷蔵室として使用することが選択された場合は、制御部４６は戻りダンパ３４を閉じる。これにより、冷凍／冷蔵室４内の冷気の循環を止めて、冷凍／冷蔵室４の温度を上昇させ、冷凍／冷蔵室４を冷蔵室として使用することができる。制御部４６は、温度センサ４１〜４３の各々の検出値が基準温度記憶部４５に記憶された基準値に一致するように、スターリング冷凍機１０の出力、冷却ファン装置３５の風量および冷蔵室用ファン装置３８の風量を制御するとともに、送風ダンパ３７を開閉制御する。このとき、冷蔵室３および冷凍／冷蔵室４の室内温度は、ともに冷蔵温度帯に維持される。
【００３２】
この実施の形態１では、冷凍／冷蔵室４への冷気送風路（吹出口３６）に送風ダンパを設けずに、冷凍／冷蔵室４からの冷気戻り風路（吸気口３３）に戻りダンパ３４を設けたので、省スペース化を図ることができ、冷蔵庫１の庫内体積を大きくすることができる。
【００３３】
また、冷凍／冷蔵切換スイッチ４４を操作することにより、冷凍／冷蔵室４を冷凍室または冷蔵室として選択的に使用することができる。したがって、季節やユーザのニーズにより、冷凍室を無くして冷蔵室の容量を増大させることができ、便利である。また、同じデザインの冷蔵庫１を複数購入し、そのうちの１台の冷蔵庫１の冷凍／冷蔵室４を冷蔵室として使用することにより、大容量の冷蔵室を確保することができる。
【００３４】
図６は、この実施の形態１の変更例を示す図である。図６において、戻りダンパ３４は、駆動装置(図示せず)によって駆動される駆動軸５０と、中央部に駆動軸５０が固定された開閉板５１とを含む。戻りダンパ３３が開けられた状態では、開閉板５１が冷気戻り風路に対して平行に配置され、戻りダンパ３３が閉じられた状態では、開閉板５１が冷気戻り風路に対して直角に配置される。たとえば戻りダンパ３４が閉じられた状態が長時間続くと、開閉板５１に霜が付着して凍結し、開閉板５１が動かなくなる恐れがある。そこで、この変更例では、開閉板５１の表面に、開閉板５１の凍結を防止するためのヒータ５２が設けられる。ヒータ５２に通電して開閉板５１を加熱することにより開閉板５１の凍結を防止することができる。送りダンパ３７にも、ヒータ５２を設けても良い。
【００３５】
[実施の形態２]
図７は、この発明の実施の形態２による冷蔵庫６１の内部構成を示す側面から見た断面図であり、図８は冷蔵庫６１の内部構成を示す正面から見た断面図であり、図９は冷蔵庫１の扉を開けた外観を示す正面図である。
【００３６】
図７〜図９において、冷蔵庫６１は食品（冷凍食品）保存用であり、断熱構造の筐体６２を備える。筐体６２の内部は上側の１つの室と下側の左右２つの室に仕切られており、上側に冷蔵室６３が構成され、下側に冷凍庫６４と冷凍／冷蔵室６５が構成されている。この冷凍／冷蔵室６５は、冷凍室または冷蔵室として選択的に使用することが可能になっている。冷蔵室６３、冷凍室６４および冷凍／冷蔵室６５の正面側（図７において右側）の開口部の各々には、断熱構造の扉(図示せず)が開閉自在に設けられている。冷蔵室６３の上部は複数の棚板５により上下複数段に区画され、冷蔵室６３の下部には複数段複数列の収納ケース６が引出可能に設けられている。冷凍室６４には、複数段の収納ケース８が引出可能に設けられている。冷凍／冷蔵室６５には、製氷機７が設けられるとともに、複数段の収納ケース８が引出可能に設けられている。
【００３７】
冷蔵室６３と冷凍室６４の間の後部にスターリング冷凍機１０が設置されている。スターリング冷凍機１０のウォームヘッド１１には２次冷媒回路を介して放熱器１６が結合され、コールドヘッド１２には２次冷媒回路を介して蒸発器２１が結合されている。
【００３８】
冷蔵庫１の庫内空間には、背面壁の内側に沿って垂直方向に延びるダクト３０，３１が設けられる。ダクト３０は奥側に位置し、ダクト３１はその手前側に位置する。ダクト３０は庫内空間の途中までの高さで終わるが、ダクト３１は筐体２の棚部を貫通して天井部まで続く。
【００３９】
ダクト３０の下端には、冷蔵室６３の室内空気を吸い込む吸気口６６と、冷凍室６４の室内空気を吸い込む吸気口６７と、冷凍／冷蔵室６５の室内空気を吸い込む吸気口６８が設けられ、吸気口６８には戻りダンパ６９が設けられている。戻りダンパ６９は、冷凍／冷蔵室６５を冷凍室として使用する場合は開けられ、冷凍／冷蔵室６５を冷蔵室として使用する場合は閉じられる。
【００４０】
ダクト３０の上端には、ダクト３１に空気を吹き出すための冷却ファン装置３５が設けられる。吸気口６６〜６８と冷却ファン装置３５の間に蒸発器２１が設置される。冷却ファン装置３３の運転により吸気口６６，６７および／または吸気口６８から吸い込まれた空気は、蒸発器２１を通過する際に熱を奪われ、冷気となる。冷却ファン装置３５によりダクト３１に吹き出された冷気は、冷凍室６４および冷凍／冷蔵室６５の各収納ケース８に対応して設けられた吹出口３６から冷凍室６４および冷凍／冷蔵庫６５に吹き出される。
【００４１】
また、ダクト３１の中央部には送風ダンパ３７が設けられ、その上側には冷蔵室用ファン装置３８が設けられる。送風ダンパ３７が開けられて冷蔵室用ファン装置３８が運転されると、ダクト３１の冷気は冷蔵室３内に吹き出される。冷蔵室６３内には、冷蔵室６３内の冷気を循環させるための循環ファン装置７０も設けられている。
【００４２】
図１０は、冷蔵庫６１のうちの運転制御に関連する部分を示すブロック図であって、図４と対比される図である。図１０において、冷凍室内温度センサ７１が追加されている他は、図４と同じである。冷凍室内温度センサ７１は、たとえばダクト３１の冷凍室６４側の表面に設けられ、冷凍室６４内の温度を検出し、検出値を示す信号を制御部４６に与える。冷凍／冷蔵切換スイッチ４４は、たとえば冷凍／冷蔵室６５の扉の表面に設けられる。ユーザは、このスイッチ４４を操作することにより、冷凍／冷蔵室６５を冷凍室として使用するか冷蔵室として使用するかを選択することができる。基準温度記憶部４５は、ＲＯＭ等の読み出し専用メモリ、もしくはＥＥＰＲＯＭなどの書き換え可能なメモリからなり、冷蔵室６３内、冷凍室６４内、冷凍／冷蔵室６５内、コールドヘッド１２の各々の基準温度を記憶している。
【００４３】
制御部４６は、温度センサ４１〜４３，７１、冷凍／冷蔵切換えスイッチ４４および基準温度記憶部４５からの各種情報に基づいて、スターリング冷凍機１０、冷却ファン装置３５、冷蔵室用ファン装置３８、送風ダンパ３７、および戻りダンパ６９を制御する。冷蔵庫６１の動作は、図１〜図６で示した冷蔵庫１と同様であるので、その説明は繰り返さない。
【００４４】
図１１は、冷蔵庫６１の風路を示す図である。図１１において、ダクト３０は、蒸発器２１および冷却ファン装置３５を収容した冷気通風路を構成している。ダクト３１の上部は、冷気通風路の出口と冷蔵室６３との間に設けられて送風ダンパ３７および冷蔵室用ファン装置３８を収容し、冷蔵室６３に冷気を供給する冷蔵室用冷気送風路を構成する。ダクト３１の下部の冷凍室６４に対応する吹出口３６は、冷気通風路の出口と冷凍室６４との間に設けられ、冷凍室６４に冷気を供給する冷凍室用冷気送風路を構成する。ダクト３１の下部の冷凍／冷蔵室６５に対応する吹出口３６は、冷気通風路の出口と冷凍／冷蔵室６５との間に設けられ、冷凍／冷蔵室６５に冷気を供給する冷凍／冷蔵室用冷気送風路を構成する。
【００４５】
冷蔵室６３から吸気口６６までの風路は、冷蔵室６３と冷気通風路の入口との間に設けられ、冷蔵室６３内の空気を排出する冷蔵室用冷気戻り風路を構成する。冷凍室６４から吸気口６７までの風路は、冷凍室６４と冷気通風路の入口との間に設けられ、冷凍室６４内の空気を排出する冷凍室用冷気戻り風路を構成する。冷凍／冷蔵室６５から吸気口６８までの風路は、冷凍／冷蔵室６５と冷気通風路の入口との間に設けられ、冷凍／冷蔵室６５内の空気を排出する冷蔵室用冷気戻り風路を構成する。
【００４６】
冷凍／冷蔵切換スイッチ４４によって冷凍／冷蔵室６５を冷凍室として使用することが選択された場合は、制御部４６は戻りダンパ６９を開ける。これにより、冷凍／冷蔵室６５内の冷気の循環を促進して、冷凍／冷蔵室６５の温度を低下させ、冷凍／冷蔵室６５を冷凍室として使用することができる。制御部４６は、温度センサ４１〜４３，７１の各々の検出値が基準温度記憶部４５に記憶された基準値に一致するように、スターリング冷凍機１０、冷却ファン装置３５、冷蔵室用ファン装置３８および送風ダンパ３７を制御する。このとき、冷蔵室６３の室内温度は冷蔵温度帯に維持され、冷凍室６４の室内温度は−４０℃または−１８℃前後の冷凍温度帯に維持され、冷凍／冷蔵室６５の室内温度は−４０℃または−１８℃前後の冷凍温度帯に維持される。
【００４７】
冷凍／冷蔵切換スイッチ４４によって冷凍／冷蔵室６５を冷蔵室として使用することが選択された場合は、制御部４６は戻りダンパ６９を閉じる。これにより、冷凍／冷蔵室６５内の冷気の循環を止めて、冷凍／冷蔵室６５の温度を上昇させ、冷凍／冷蔵室６５を冷蔵室として使用することができる。制御部４６は、温度センサ４１〜４３，７１の各々の検出値が基準温度記憶部４５に記憶された基準値に一致するように、スターリング冷凍機１０、冷却ファン装置３５、冷蔵室用ファン装置３８および送風ダンパ３７を制御する。このとき、冷蔵室６３および冷凍／冷蔵室６５の室内温度はともに冷蔵温度帯に維持され、冷凍室６４の室内温度は−４０℃または−１８℃前後の冷凍温度帯に維持される。
【００４８】
この実施の形態２でも、実施の形態１と同じ効果が得られる。なお、戻りダンパ６９に凍結防止用のヒータ５２を設けても良いことは言うまでもない。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】この発明の実施の形態１による冷蔵庫の内部構成を示す側面から見た断面図である。
【図２】図１に示した冷蔵庫の内部構成を示す正面から見た断面図である。
【図３】図１に示した冷蔵庫の扉を開けた外観を示す正面図である。
【図４】図１に示した冷蔵庫の運転制御に関連する部分を示すブロック図である。
【図５】図１に示した冷蔵庫の風路を示す図である。
【図６】実施の形態１の変更例を示す図である。
【図７】この発明の実施の形態２による冷蔵庫の内部構成を示す側面から見た断面図である。
【図８】図７に示した冷蔵庫の内部構成を示す正面から見た断面図である。
【図９】図７に示した冷蔵庫の扉を開けた外観を示す正面図である。
【図１０】図７に示した冷蔵庫の運転制御に関連する部分を示すブロック図である。
【図１１】図７に示した冷蔵庫の風路を示す図である。
【符号の説明】
【００５１】
１，６１  冷蔵庫、２  筐体、３，６３  冷蔵室、４，６５  冷凍／冷蔵室、５  棚板、６，８  収納ケース、７  製氷機、１０  スターリング冷凍機、１１  ウォームヘッド、１２  コールドヘッド、１３  圧力容器、１５，２０  ２次冷媒回路、１６  放熱器、２１  蒸発器、３０，３１  ダクト、３２，３３，６６〜６８  吸気口、３４，６９  戻りダンパ、３５  冷却ファン装置、３６  吹出口、３７  送風ダンパ、３８  冷蔵庫用ファン装置、４１〜４３，７１  温度センサ、４４  冷凍／冷蔵切換スイッチ、４５  基準温度記憶部、４６  制御部、７０  循環ファン装置。
【図１】
2006097965.tif 000003
【図２】
2006097965.tif 000004
【図３】
2006097965.tif 000005
【図４】
2006097965.tif 000006
【図５】
2006097965.tif 000007
【図６】
2006097965.tif 000008
【図７】
2006097965.tif 000009
【図８】
2006097965.tif 000010
【図９】
2006097965.tif 000011
【図１０】
2006097965.tif 000012
【図１１】
2006097965.tif 000013